Podtech/llm-jp-corpus-v4-ja_patent huggingface dataset:
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
Ｎ個の中継ノードを備えるパケット交換通信ネットワークのリソースを予約する方法であって、前記予約は、予約計画に従って確立され、
ｉ）ストリーム識別子に関連付けられ、少なくとも２つのポートに関連付けられた計画識別子によって規定される少なくとも１つのリソース予約計画Ｐｉｋを前記Ｎ個のノード毎に求める工程と、
ｉｉ）前記Ｎ個のノード毎に、関連した別々の計画Ｐｉｋを記憶する工程と
を含む方法。
【請求項２】
請求項１記載の方法であって、ストリームに対する新たなリソースの予約又は事前予約を要求するメッセージを前記Ｎ個のノードのうちの１つが受け取る都度、この新たな予約又は事前予約に適合された新たな計画Ｐｉｋをこのノードについて求めることが可能な方法。
【請求項３】
請求項１又は２に記載の方法であって、ノードに関する各計画Ｐｉｋの判定は前記ノードにおいて行われる方法。
【請求項４】
請求項１乃至３のうちの何れか一項に記載の方法であって、前記Ｎ個のノードのうちの１つの新たな計画Ｐｉｋを求めることが要求される場合、既存計画識別子の最高の既知値における単位よりも値が大きい計画識別子がこの新たな計画Ｐｉｋに与えられる方法。
【請求項５】
請求項３又は４に記載の方法であって、前記Ｎ個のノードのうちの１つについて新たな計画Ｐｉｋを求めることが要求される場合、このノードは、それについて局所に存在している最高の計画識別子値Ｐｉｋ’における単位よりも値が大きい仮計画識別子をこの新たな計画Ｐｉｋに与え、次いで、それらのうちの１つが、この仮計画識別子に関連付けられた計画Ｐｉ’ｋを既に有しているかを判定するために、Ｎ−１個の他のノードそれぞれに問い合わせ、否定の場合、前記仮計画識別子を前記新たな計画Ｐｉｋに与える一方、肯定の場合、既存の計画識別子の最高の既知値における単位よりも値が大きな計画識別子を前記新たな計画Ｐｉｋに与える方法。
【請求項６】
請求項１乃至５に記載の方法であって、前記Ｎ個のノードそれぞれによって使用されなければならないＮ個の計画Ｐｉｋの組合せは、前記計画Ｐｉｋ全てから、かつ受信されたメッセージに応じて求められる方法。
【請求項７】
請求項６記載の方法であって、ストリームのリソース予約の終了、又は、新たなリソースの予約若しくは事前予約を要求するメッセージの受信に続いて、前記Ｎ個のノードのうちの１つについて新たな計画Ｐｉｋが求められる都度、Ｎ個の計画Ｐｉｋの新たな組合せが求められる方法。
【請求項８】
Ｎ個の中継ノードを備えるパケット交換通信ネットワークのリソース予約を管理する装置であって、前記予約は、予約計画に従って確立され、中継ノードの少なくとも２つのポート及びストリーム識別子に関連付けられた計画識別子によってそれぞれが規定され、前記Ｎ個のノードに関連付けられたリソース予約計画Ｐｉｋの組のうちから、前記ノードにより、それぞれ使用されなければならないＮ個のリソース予約計画Ｐｉｋの組合せを求めるよう構成された管理手段を備える装置。
【請求項９】
請求項８記載の装置であって、前記管理手段は、ストリームのリソ―ス予約の終了、又は新たなリソースの予約若しくは事前予約を要求するメッセージの受信に続いて、新たな計画Ｐｉｋを中継ノードが求めた旨が警告される都度、Ｎ個の計画Ｐｉｋの新たな組合せを求めるよう構成された装置。
【請求項１０】
パケット交換通信ネットワークの少なくとも１つの中継ノードのリソースを予約する装置であって、前記予約は、予約計画に従って確立され、
ｉ）前記中継ノードが使用することができ、かつ、前記中継ノードの少なくとも２つのポート、及びストリーム識別子に関連付けられた計画識別子によって規定され、リソース予約若しくは事前予約、少なくとも１つのリソース予約計画又は事前予約計画Ｐｉｋを要求する旨の、受信したメッセージに応じて前記中継ノードを求めるよう構成された算出手段と、  
ｉｉ）前記算出手段によって求められる計画規定Ｐｉｋそれぞれを記憶することができる記憶手段と
を備える装置。
【請求項１１】
請求項１０記載の装置であって、前記算出手段は、ストリームの新たなリソースの予約又は事前予約を要求するメッセージを前記中継ノードが受信する都度、この新たな予約又は事前予約に適合された新たな計画Ｐｉｋをこの中継ノードについて求めるよう構成された装置。
【請求項１２】
請求項１０及び１１の何れか一項に記載の装置であって、前記算出手段は、既存の計画の識別子について知られている最高値における単位よりも値が大きい計画識別子を新たな計画Ｐｉｋに与えるよう構成された装置。
【請求項１３】
請求項１２記載の装置であって、前記算出手段は、前記記憶手段に記憶された最高計画識別子値Ｐｉｋ’における単位よりも値が大きい仮計画識別子を中継ノードに関する新たな計画Ｐｉｋを与えるよう構成され、次いで、それらのうちの１つが既に、この仮計画識別子に関連付けられた計画Ｐｉ’ｋを有しているかを判定するために前記ネットワークの他の中継ノードの問い合わせを指示するよう構成され、次いで、応答が否定の場合、この新たな計画Ｐｉｋに、前記仮計画識別子を与えるよう構成され、応答が肯定の場合、既存の計画識別子の最高の既知値における単位よりも値が大きい計画識別子をこの新たな計画Ｐｉｋに与えるよう構成される装置。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
パケットのセットで編成されている圧縮されたオーディオビジュアル・コンテンツを保護する方法であって：
前記パケットのセット中の各パケットについてゆがみ‐レート比を計算する段階と；
前記パケットのセットの、最高のゆがみ‐レート比をもつ暗号化されていないパケットを暗号化する段階と；
前記オーディオビジュアル・コンテンツについての所定のゆがみが得られるまでのみ、前記暗号化段階を繰り返す段階とを含む、
方法。
【請求項２】
各パケットの画像ゆがみの低減への寄与を計算する先行段階をさらに含む、請求項１記載の方法。
【請求項３】
保護すべきパケットの少なくとも一つの部分を選択する段階をさらに含む、請求項１記載の方法。
【請求項４】
保護されたオーディオビジュアル・コンテンツと、どのパケットが保護されているかについての情報とを出力する段階をさらに含む、請求項１記載の方法。
【請求項５】
パケットを、そのゆがみ‐レート比に従ってソートする段階をさらに含む、請求項１記載の方法。
【請求項６】
パケットのセットで編成されている圧縮されたオーディオビジュアル・コンテンツを保護する装置であって：
前記パケットのセット中の各パケットについてゆがみ‐レート比を計算する手段と；
前記パケットのセットの、最高のゆがみ‐レート比をもつ暗号化されていないパケットを暗号化する手段と；
前記の暗号化ステップを、前記オーディオビジュアル・コンテンツについての所定のゆがみが得られるまでのみ繰り返す手段とを有する、
装置。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
反射層と、
前記反射層上のオーミック接触層と、
前記オーミック接触層上の第２半導体層と、
前記第２半導体層上の活性層と、
前記活性層上の第１半導体層と、
を備え、
前記反射層と前記活性層の発光部分の間の距離をｄとしたときに、ｄ＝（２ｍ＋１）／４×（λ／ｎ）±αであり、ここでｍは０以上の整数、λは前記活性層によって放出される光の波長、ｎは前記活性層と前記反射層の間に位置する前記第２半導体層とオーミック接触層を含む媒質の平均屈折率、αは前記反射層の種類に応じた変動幅を示し、α＜（１／８）×（λ／ｎ）である発光素子。
【請求項２】
前記第１半導体層上に光結晶構造を含む請求項１に記載された発光素子。
【請求項３】
前記光結晶構造の深さは（λ／ｎ）以上である請求項２に記載された発光素子。
【請求項４】
前記光結晶構造は、ホールの深さまたは柱構造の高さが３００ｎｍ〜３，０００ｎｍの範囲内であり、前記光結晶の平均周期は０．７μｍ〜５μｍの範囲内である請求項２または３に記載された発光素子。
【請求項５】
前記オーミック接触層は酸化物伝導層を含む請求項１乃至４のいずれかに記載された発光素子。
【請求項６】
前記オーミック接触層は単一酸化物伝導層、または酸化物伝導層内に誘電体パターンを含む請求項５に記載された発光素子。
【請求項７】
前記第２半導体層はｐ型半導体層であり、前記第１半導体層はｎ型半導体層である、請求項１乃至６のいずれかに記載された発光素子。
【請求項８】
前記反射層はＡｇ、Ｐｔ、Ａｌ中の１つ以上を含む請求項１乃至７のいずれかに記載された発光素子。
【請求項９】
前記活性層の厚さは（１／２）×（λ／ｎ）未満である請求項１乃至８のいずれかに記載された発光素子。
【請求項１０】
前記発光部分は前記活性層の中心である、請求項１乃至９のいずれかに記載された発光素子。
【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
フラビウイルス科の突然変異体ウイルスであって、カプシドタンパク質中に少なくとも２０個の連続するアミノ酸の欠失を含み、前記欠失に隣接する、置換されていてもよいアミノ酸を除いて、カプシドタンパク質中に、さらなる欠失、置換または挿入突然変異を伴わないウイルス。
【請求項２】
カプシドタンパク質のカルボキシ末端疎水性領域が、欠失によって影響を受けないことを特徴とする請求項１に記載のウイルス。
【請求項３】
フラビウイルス、ペスチウイルスまたはヘパシウイルスであることを特徴とする請求項１または２に記載のウイルス。
【請求項４】
黄熱ウイルス（ＹＦＶ）、日本脳炎ウイルス（ＪＥＶ）、デング熱ウイルス（ＤＶ）、ダニ媒介性脳炎ウイルス（ＴＢＥウイルス）、ウエストナイルウイルス（ＷＮＶ）、マレー渓谷脳炎ウイルス（ＭＶＥＶ）、セントルイス脳炎ウイルス（ＳＬＥＶ）、ポワッサンウイルス（ＰＶ）、ブタ熱ウイルス（ＣＰＦＶ）、ウシウイルス性下痢ウイルス（ＢＤＶ）、ボーダー病ウイルス（ＢＤＶ）またはＣ型肝炎ウイルス（ＨＣＶ）から選択されることを特徴とする請求項３に記載のウイルス。
【請求項５】
前記欠失が、少なくとも２２個の連続するアミノ酸のものであることを特徴とする請求項１から４のいずれか一項に記載のウイルス。
【請求項６】
前記欠失が、最大４８個のアミノ酸のものであることを特徴とする請求項１から５のいずれか一項に記載のウイルス。
【請求項７】
細胞培養において継代され得、遺伝的に安定であることを特徴とする請求項１から６のいずれか一項に記載のウイルス。
【請求項８】
前記欠失が、野生型ウイルスカプシドタンパク質のαヘリックス２の少なくとも１個のアミノ酸を含むことを特徴とする請求項１から７のいずれか一項に記載のウイルス。
【請求項９】
前記欠失が、野生型ウイルスカプシドタンパク質のαヘリックス３の少なくとも１個のアミノ酸を含むことを特徴とする請求項１から８のいずれか一項に記載のウイルス。
【請求項１０】
前記欠失が、野生型ウイルスカプシドタンパク質のαヘリックス４の少なくとも１個のアミノ酸を含むことを特徴とする請求項１から９のいずれか一項に記載のウイルス。
【請求項１１】
カプシドタンパク質の外側に突然変異を含むことを特徴とする請求項１から１０のいずれか一項に記載のウイルス。
【請求項１２】
請求項１から１１のいずれか一項に記載のウイルスを含む、医薬組成物。
【請求項１３】
前記ウイルスの１０１から１０７感染単位を含むことを特徴とする請求項１２に記載の医薬組成物。
【請求項１４】
抗生物質、保存料、安定剤、バッファー物質またはそれらの混合物をさらに含むことを特徴とする請求項１２または１３に記載の医薬組成物。
【請求項１５】
請求項１から１１のいずれか一項に記載の突然変異ウイルスのカプシドタンパク質をコードする核酸。
【請求項１６】
請求項１から１１のいずれか一項に記載の突然変異ウイルスのカプシドタンパク質。
【請求項１７】
請求項１５に記載の核酸または請求項１６に記載のカプシドタンパク質を含む、医薬組成物。
【請求項１８】
アミノグリコシド抗生物質を含むことを特徴とする請求項１７に記載の医薬組成物。
【請求項１９】
フラビウイルス科感染の治療または予防のための、請求項１２から１４、１７または１８に記載の組成物。
【請求項２０】
請求項１から１１のいずれか一項に記載の欠失を有するカプシドタンパク質をコードする、フラビウイルスまたはフラビウイルス核酸を提供する工程と、
適した宿主細胞において、前記フラビウイルスまたはフラビウイルス核酸を増殖させる工程と、
宿主細胞によって増殖されたウイルス粒子を回収する工程と
を特徴とする、請求項１から１１のいずれか一項に記載の改変されたウイルスを製造する方法。
【請求項２１】
宿主細胞が、ニワトリ胚細胞、初代ニワトリ胚細胞、ヒト２倍体細胞株、ベロ細胞、ＣＨＯ細胞、ＨＥＫ２９３細胞、ＰＥＲ．Ｃ６（登録商標）細胞、初代ハムスター腎臓細胞、初代イヌ腎臓細胞または２倍体胎児アカゲザル肺細胞から選択されることを特徴とする請求項２０に記載の方法。
【請求項２２】
請求項１から１１のいずれか一項に記載の欠失を有するカプシドタンパク質をコードするフラビウイルス核酸を提供する工程と、
前記核酸を、適したベクターに挿入する工程と、
前記ベクターを用いて、適した宿主細胞を形質転換する工程と、
前記宿主細胞において前記核酸を増幅する工程と、
前記宿主細胞から前記核酸を回収する工程と
を特徴とする、請求項１５に記載の改変された核酸を製造する方法。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
たばこ煙濾過材料の縦方向延在芯と、前記芯の周りに係合する巻紙と、を備えており、前記縦方向延在芯は、その内部に完全に封入された少なくとも一塊の第１添加物を有しており、前記巻紙は、その半径方向内側面の１以上の部分に貼り付けられた第２添加物を有しており、前記巻紙は一端でその円周周りに前記添加物がないたばこ煙フィルタ又はフィルタ要素。
【請求項２】
前記第１添加物は、粒子状添加物であり、及び／又は活性炭、ゼオライト、イオン交換樹脂（例えば弱塩基性陰イオン交換樹脂）、海泡石、シリカゲル、アルミナ、分子篩、炭素質ポリマー樹脂、又は、珪藻土である請求項１に記載のたばこ煙フィルタ又はフィルタ要素。
【請求項３】
前記第１添加物は、１以上の壊れやすいカプセル又は１以上の壊れやすいマイクロカプセルである請求項１に記載のたばこ煙フィルタ又はフィルタ要素。
【請求項４】
前記第２添加物は、粒子状添加物であり、及び／又は活性炭、ゼオライト、イオン交換樹脂（例えば弱塩基性陰イオン交換樹脂）、海泡石、シリカゲル、アルミナ、分子篩、炭素質ポリマー樹脂、又は、珪藻土である請求項１〜３のいずれか１項に記載のたばこ煙フィルタ又はフィルタ要素。
【請求項５】
前記たばこ煙濾過材料の縦方向延在芯内に完全に封入された前記第１添加物の重量は、長さ２０ｍｍ〜３０ｍｍのフィルタチップに対して１０ｍｇ〜６５ｍｇであり、及び／又は
前記第２添加物の重量は１ｍｇ／直線ｍｍ〜３．５ｍｇ／直線ｍｍである請求項１〜４のいずれか１項に記載のたばこ煙フィルタ又はフィルタ要素。
【請求項６】
前記第１添加物及び前記第２添加物は、同一であり、及び／又は
前記第１添加物及び前記第２添加物の少なくともいずれか一方は芳香成分（flavourant）を含む請求項１〜５のいずれか１項に記載のたばこ煙フィルタ又はフィルタ要素。
【請求項７】
たばこ煙濾材料の縦方向延在芯を備えており、前記縦方向延在芯は、その内部に実質的に完全に封入された少なくとも一塊の添加物を有するたばこ煙フィルタ要素であって、１０ｍｍ〜２０ｍｍの長さを有し、前記芯の周りに係合する巻紙をさらに備える、たばこ煙フィルタ要素。
【請求項８】
前記添加物は、活性炭、ゼオライト、イオン交換樹脂（例えば弱塩基性陰イオン交換樹脂）、海泡石、シリカゲル、アルミナ、分子篩、炭素質ポリマー樹脂、又は、珪藻土が例である、粒子状添加物である請求項７に記載のたばこ煙フィルタ要素。
【請求項９】
請求項１〜６のいずれか１項に記載のフィルタを含むフィルタ付き紙巻きたばこ、又は、請求項１〜８のいずれか１項に記載のフィルタ要素を含むとともに巻紙で巻かれたたばこロッドに結合されるフィルタ。
【請求項１０】
端部同士を鏡像関係で一体的に結合した請求項１〜９のいずれか１項に記載の複数のフィルタ要素又は請求項１〜６のいずれか１項に記載の複数のフィルタを備える複合ロッド。
【請求項１１】
たばこ煙濾過材料の連続ロッドの内部に完全に封入されて縦方向に間隔をあけて配置された複数の塊の第１添加物を有する連続ロッドを形成する工程と、
前記連続ロッド、及び、縦方向に間隔をあけた領域で連続ストリップの表面に貼り付けられた第２添加物を有する連続ストリップを連続的に前進させる工程と、
前記ロッドに前記第２添加物が接触するように、前進する前記ロッドの周りに前進する前記ストリップを連続的に包む工程と、
結果として連続的に製造されて巻紙で巻かれたロッドを有限の長さに切断する工程と、を備えるたばこ煙フィルタを製造する方法において、
前記たばこ煙濾過材料の連続ロッドは、たばこ煙濾過材料の列を縦方向に連続的に前進させて、前記濾過材料がロッド形状に形作られて固められるように前進する濾過材料を横方向にまとめて、連続的に製造されたロッド内に埋め込まれてロッドに沿って縦方向に間隔をあけて配置される分離した添加物の塊を形成するために、前進してまとまった前記濾過材料に横方向に第１添加物を不連続に空気圧で注入することによって形成されるか、又は
連続ストリップが、縦方向に間隔をあけた領域で当該連続ストリップの表面に貼り付けられる第２添加物を有しており、前記連続ストリップは、前記第２添加物が必要とされる限定領域で前記ストリップに接着剤を塗布して、その後に添加物を塗布することによって形成される、たばこ煙フィルタを製造する方法。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
ハイブリドーマの作成方法であって、ＣＤ２７＋Ｂ細胞を、ＩＬ−４、ＩＬ−１０及びＣＤ４０Ｌの存在下で一定期間にわたってイン・ビトロで培養し、該培養されたＣＤ２７＋Ｂ細胞を融合パートナー細胞系と融合させ、それによりハイブリドーマを生成することを含む方法。
【請求項２】
ＣＤ２７＋Ｂ細胞培養中に、ＣＤ４０Ｌが、ｔＣＤ４０Ｌ細胞の表面に提示されたＣＤ４０Ｌの形態で与えられる、請求項１に記載の方法。
【請求項３】
融合パートナー細胞系が、ｍＩＬ−６及びｈＴＥＲＴを異所的に発現する、請求項１に記載の方法。
【請求項４】
請求項１〜３いずれか１項に記載の方法であって、ハイブリドーマのライブラリーを作成する該方法。
【請求項５】
請求項１〜３いずれか１項に記載の方法により生成されたハイブリドーマ。
【請求項６】
請求項５に記載のハイブリドーマであって、ＡＴＣＣ受託番号ＰＴＡ−８８７０で寄託されたハイブリドーマ。
【請求項７】
モノクローナル抗体を生成する方法であって、請求項５又は６に記載のハイブリドーマを培養して該モノクローナル抗体を生成することを含む方法。
【請求項８】
請求項７に記載の方法により生成された抗体、又は該抗体の抗原結合性断片。
【請求項９】
ＡＴＣＣ受託番号ＰＴＡ−８８７０で入手可能な抗体、又は該抗体の抗原結合性断片。
【請求項１０】
ＡＴＣＣ受託番号ＰＴＡ−８８７０で寄託されたハイブリドーマにより産生される抗体が特異的に結合するエピトープに特異的に結合する抗体。
【請求項１１】
アミノ酸配列SEQ ID NO:４を含む抗体重鎖可変ドメインを含む抗体重鎖ポリペプチド；及びアミノ酸配列SEQ ID NO:８を含む抗体軽鎖可変ドメインを含む抗体軽鎖ポリペプチドを含む抗体；又は該抗体の抗原結合性断片。
【請求項１２】
アミノ酸配列SEQ ID NO:２を含む重鎖ポリペプチド、及びアミノ酸配列６を含む軽鎖ポリペプチドを含む、請求項１１に記載の抗体；又は該抗体の抗原結合性断片。
【請求項１３】
請求項１１又は１２の何れかに記載の抗体断片であって、一本鎖Ｆｖ(ｓｃＦｖ)断片、Ｆab断片、(Ｆab')2断片又は(ｓｃＦｖ')2断片である抗体断片。
【請求項１４】
単離された核酸分子であって、該核酸分子が請求項１１又は１２に記載の抗体をコードする核酸分子。
【請求項１５】
ＢｏＮＴ／Ａを中和する必要のある患者においてＢｏＮＴ／Ａを中和する方法であって、該患者に、治療上有効な量の請求項９〜１３の何れかに記載の抗体又は抗原結合性断片を投与することを含む方法。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
一つもしくはいくつかの容器またはパーツからなるキットを含んでなる組成物であって、
（ｉ）少なくともＵ１ｓｎＲＮＡまたはＵ１ｓｎＲＮＡをコードするポリヌクレオチドを含んでなる第一成分であって、前記Ｕ１ｓｎＲＮＡが、標的プレｍＲＮＡの３’末端エクソンの予め選択された領域に特異的に結合するように、イントロンの５’端のＧＵコンセンサス配列に対する結合配列が修飾されており、かつ前記標的プレｍＲＮＡのプロセシングを阻害することができるものである、第一成分と、
（ｉｉ）（ｉ）で定義したＵ１ｓｎＲＮＡの標的であり、かつ前記標的ｍＲＮＡの生体内抑制を生じさせることができる前記プレｍＲＮＡのプロセシングから得られるｍＲＮＡの予め選択された領域を特異的に標的とする、少なくとも一種の遺伝子発現抑制剤を含んでなる第二成分であって、ここで前記抑制剤がｓｈＲＮＡ、ｓｈＲＮＡをコードするポリヌクレオチドまたはそれらの組み合わせである第二成分とを含んでなる、組成物。
【請求項２】
成分（ｉｉ）が、少なくとも一種のｓｈＲＮＡをコードする配列を含んでなるポリヌクレオチドである、請求項１に記載の組成物またはキット。
【請求項３】
成分（ｉ）が、同じ標的プレｍＲＮＡの異なる予め選択された領域に特異的に結合するようにイントロンの５’端のＧＵコンセンサス配列に対する結合配列が修飾されているＵ１ｓｎＲＮＡをコードするいくつかのポリヌクレオチドを含んでなり、および／または成分（ｉｉ）が、（ｉ）で定義したＵ１ｓｎＲＮＡの標的であり、かつ前記標的ｍＲＮＡの生体内抑制を生じさせることができる前記プレｍＲＮＡのプロセシングから得られるｍＲＮＡの異なる予め選択された領域を特異的に標的とする、いくつかの遺伝子発現抑制剤を含んでなる、請求項１または２のいずれかに記載の組成物またはキット。
【請求項４】
前記第二成分が抑制剤をコードするポリヌクレオチドであり、前記ポリヌクレオチドと第一成分を構成しているポリヌクレオチドが単一のベクターの一部分を形成する、請求項１〜３のいずれかに記載の組成物またはキット。
【請求項５】
前記単一のベクターが、ウイルスベクターである、請求項４に記載の組成物またはキット。
【請求項６】
前記ウイルスベクターが、アデノウイルス、アデノ随伴ウイルス、レトロウイルス、レンチウイルス、ヘルペスウイルス、ＳＶ４０、およびアルファウイルスからなる群から選択されるものである、請求項５に記載の組成物またはキット。
【請求項７】
（ｉ）標的プレｍＲＮＡの３’末端エクソンの予め選択された領域に特異的に結合するように、イントロンの５’端のＧＵコンセンサス配列に対する結合配列が修飾されており、かつ前記標的プレｍＲＮＡのプロセシングを阻害することができる、少なくとも一種のＵ１ｓｎＲＮＡをコードする配列と、
（ｉｉ）（ｉ）で定義したポリヌクレオチドによりコードされている前記Ｕ１ｓｎＲＮＡの標的であり、かつ前記標的ｍＲＮＡの生体内抑制を生じさせることができる、前記プレｍＲＮＡのプロセシングから得られるｍＲＮＡの予め選択された領域を特異的に標的とする抑制剤をコードする配列であって、ここで前記抑制剤をコードする配列が少なくとも一種のｓｈＲＮＡをコードするものである配列とを含んでなる、ポリヌクレオチド。
【請求項８】
前記配列（ｉ）および（ｉｉ）が、発現調節領域に動作可能に結合してなる、請求項７に記載のポリヌクレオチド。
【請求項９】
配列（ｉ）および（ｉｉ）の前記発現調節配列が異なるものである、請求項８に記載のポリヌクレオチド。
【請求項１０】
請求項７〜９のいずれかに記載のポリヌクレオチドを含んでなる、発現ベクター。
【請求項１１】
前記発現ベクターが、ウイルスベクターである、請求項１０に記載のベクター。
【請求項１２】
前記ウイルスベクターが、アデノウイルス、アデノ随伴ウイルス、レトロウイルス、レンチウイルス、ヘルペスウイルス、ＳＶ４０、およびアルファウイルスからなる群より選択されるものである、請求項１１に記載のベクター。
【請求項１３】
請求項１０〜１２に記載のベクターを含んでなる、細胞。
【請求項１４】
ゲノム中に組み込まれた請求項７〜９に記載のポリヌクレオチド、請求項１１または１２のいずれかに記載のベクター、または請求項１３に記載の細胞を含んでなる、非ヒトトランスジェニック動物。
【請求項１５】
医学分野での使用または薬剤としての使用のための、請求項１〜６のいずれかに記載の組成物またはキット、請求項７〜９のいずれかに記載のポリヌクレオチド、請求項１０〜１２のいずれかに記載のベクター、または請求項１３に記載の細胞。
【請求項１６】
感染症疾患、腫瘍性疾患、新生物疾患、または神経変性疾患の治療または予防のための、請求項１〜６のいずれかに記載の組成物またはキット、請求項７〜９のいずれかに記載のポリヌクレオチド、請求項１０〜１２のいずれかに記載のベクター、または請求項１３に記載の細胞。
【請求項１７】
感染症疾患、腫瘍性疾患、新生物疾患、または神経変性疾患の治療または予防のための薬剤調製用の請求項１〜６のいずれかに記載の組成物またはキット、請求項７〜９のいずれかに記載のポリヌクレオチド、請求項１０〜１２のいずれかに記載のベクター、または請求項１３に記載の細胞の使用。
【請求項１８】
請求項１〜６のいずれかに記載の組成物またはキット、請求項７〜９のいずれかに記載のポリヌクレオチド、請求項１０〜１２のいずれかに記載のベクター、または請求項１３に記載の細胞を、それを必要としている患者に投与することを含んでなる、感染症疾患、腫瘍性疾患、新生物疾患、または神経変性疾患の治療方法。
【請求項１９】
前記感染症疾患は、ウイルスにより引き起こされる感染症疾患である、請求項１６に記載の組成物またはキット、請求項１７に記載の使用、または請求項１８で定義される方法。
【請求項２０】
ウイルスによって引き起こされる感染症疾患が、ＨＢＶ、ＨＣＶ、またはＨＩＶによる感染である、請求項１９に記載の組成物、キット、または方法。
【請求項２１】
請求項１〜６のいずれかに記載の組成物またはキット、請求項７〜９のいずれかに記載のポリヌクレオチド、請求項１０〜１２のいずれかに記載のベクター、または請求項１３に記載の細胞、および薬学的に許容される担体を含んでなる医薬組成物。
【請求項２２】
前記第一成分および前記第二成分を同時、逐次または別個に使用することについての説明書を備えてなる、請求項１〜６のいずれかに記載の組成物またはキット。
【請求項２３】
同時使用、分別使用、または逐次使用のための組み合わせ製剤としての、請求項１〜６のいずれかに記載の組成物またはキット。
【請求項２４】
生体系における標的遺伝子発現の生体外または生体内転写後阻害の非治療的方法であって、前記系を、請求項１〜６のいずれかに記載の組成物、請求項７〜９のいずれかに記載のポリヌクレオチド、請求項１０〜１２のいずれかに記載のベクター、または請求項１３に記載の細胞と接触させることを含んでなる、方法。
【請求項２５】
前記生体モデルが、動物モデルである、請求項２４に記載の方法。
【請求項２６】
前記転写後阻害が、同じ機能的経路に関与する２つ以上の標的ｍＲＮＡの阻害を含む、請求項２４または２５に記載の方法。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
（a）イヌから核酸を含有する試料を入手する段階；および
（b）前記試料中のSOD1遺伝子または転写物の構造を評価する段階
を含む、変性性脊髄症の遺伝マーカーに関してイヌをスクリーニングする方法であって、
参照野生型SOD1遺伝子または転写物と比較した場合の該SOD1遺伝子または転写物の構造における変化により、前記イヌが前記遺伝マーカーを保有することが指し示される、方法。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
以下の段階を含む、対象において神経膠芽腫に関連する所定の核酸バイオマーカーの有無を検出する方法：
a.対象由来の血清試料または血漿試料からマイクロベシクル（microvesicle）画分を単離する段階；および
b.マイクロベシクル画分内の所定の核酸バイオマーカーの有無を検出する段階。
【請求項２】
核酸バイオマーカーがEGFRvIII mRNAである、請求項1記載の方法。
【請求項３】
以下の段階を含む、対象において前立腺癌に関連する所定の核酸バイオマーカーの有無を検出する方法：
a.対象由来の尿試料からマイクロベシクル画分を単離する段階；および
b.マイクロベシクル画分内の所定の核酸バイオマーカーの有無を検出する段階。
【請求項４】
所定の核酸バイオマーカーがTMPRSS2-ERG mRNAまたは対照レベルと比較してのPCA3 mRNAの上昇である、請求項3記載の方法。
【請求項５】
検出する段階（b）が、マクロベシクル画分から核酸を抽出することおよび所定の核酸バイオマーカーについて核酸をアッセイすることを含む、請求項1または3記載の方法。
【請求項６】
以下の段階を含む、対象において疾患または他の医学的状態の診断または予後に役立つ方法：
a.マイクロベシクル画分内の所定の核酸バイオマーカーの有無を検出するために対象由来の体液試料から単離されたマイクロベシクル画分をアッセイする段階であって、該バイオマーカーが、疾患または他の医学的状態に関連する、対象の核酸における遺伝子異状（genetic aberration）である、段階；および
b.その後、対象における疾患または他の医学的状態の診断または予後に役立つように段階（a）で生成された結果を用いる段階。
【請求項７】
マイクロベシクル画分をアッセイする段階が、マクロベシクル画分から核酸を抽出することおよび所定の核酸バイオマーカーの有無について核酸をアッセイすることを含む、請求項6記載の方法。
【請求項８】
所定の核酸バイオマーカーが、mRNA、siRNA、shRNA、またはDNAである、請求項6記載の方法。
【請求項９】
所定の核酸バイオマーカーが、ヒト内因性レトロウイルスK（HERV-K）DNA、テネイシン-C DNAまたはLINE-1 DNAである、請求項8記載の方法。
【請求項１０】
体液が、血清、血漿、または尿である、請求項6記載の方法。
【請求項１１】
疾患が神経膠芽腫であり、かつ核酸バイオマーカーがEGFRvIIIである、請求項6記載の方法。
【請求項１２】
疾患が前立腺癌であり、かつ核酸バイオマーカーがTMPRSS2-ERG mRNAまたは対照レベルと比較してのPCA3 mRNAレベルの上昇である、請求項6記載の方法。
【請求項１３】
核酸バイオマーカーが、EGFR；BRAF；TMPRSS2-ERG；PCA3；PSA；ヘプシジン；マトリックスメタロプロテイナーゼファミリーのメンバー、例えばMMP-1、MMP-2、MMP-8、MMP-9、MMP-12、MMP-15、MMP-20、MMP-21、MMP-24、MMP-26、およびMMP-27；AQP1；AQP2；CUBN；LRP2；AVPR2；SLC9A3（NHE-3）；ATP6V1B1；NPHS1；NPHS2；またはCLCN3由来のmRNAである、請求項6記載の方法。
【請求項１４】
核酸バイオマーカーが、ERG mRNAである、請求項6記載の方法。
【請求項１５】
以下の構成要素を含む、マイクロベシクルRNAを抽出するためのキット：
（a）RNアーゼ；
（b）溶解バッファー;
（c）RNA精製試薬；および任意で
（d）マイクロベシクルからRNAを抽出するにあたって前記の試薬を使用するための使用説明書。
【請求項１６】
以下の構成要素を含む、マイクロベシクルDNAを抽出するためのキット：
（a）DNアーゼ；
（b）溶解バッファー;
（c）DNA精製試薬；および任意で
（d）マイクロベシクルからDNAを抽出するにあたって前記の試薬を使用するための使用説明書。
【請求項１７】
以下の段階を含む、マイクロベシクルからRNAを単離する方法：
（a）マイクロベシクル試料を入手する段階；
（b）試料をRNアーゼで処理して、試料中の、マイクロベシクルの外側にある全てまたは実質的に全てのRNAを除去する段階；および
（c）試料中のマイクロベシクルからRNAを抽出する段階。
【請求項１８】
以下の段階を含む、マイクロベシクルからDNAを単離する方法：
（a）マイクロベシクル試料を入手する段階；
（b）試料をDNアーゼで処理して、試料中の、マイクロベシクルの外側にある全てまたは実質的に全てのDNAを除去する段階；および
（c）試料中のマイクロベシクルからDNAを抽出する段階。
【請求項１９】
以下の段階を含む、対象において細胞外DNAの有無を検出する方法：
（a）対象由来の体液試料からマイクロベシクル画分を単離する段階；
（b）マイクロベシクル画分をDNAの有無についてアッセイする段階。
【請求項２０】
以下の段階を含む、疾患または他の医学的状態を有する特定の対象への特定的な治療法の適性または相対的効能の評価に役立つ方法：
a.マイクロベシクル画分内の所定の核酸バイオマーカーの有無を検出するために対象由来の体液試料から単離されたマイクロベシクル画分をアッセイする段階であって、該バイオマーカーが、疾患または他の医学的状態に対する特定的な治療法の適性または相対的効能に関連する、対象の核酸における遺伝子異状である、段階；および
b.その後、対象における疾患または他の医学的状態に対する特定的な治療法の適性または相対的効能の評価に役立つように段階（a）で生成された結果を用いる段階。
【請求項２１】
バイオマーカーが、EGFR、BRAF、またはKRASである、請求項20記載の方法。
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
軟部組織を支えるクレードル部材と、前記クレードル部材を姿勢軟部組織に少なくとも１か所で固定するアンカーシステムと、少なくとも上面および底面を有する前記クレードル部材とを具える軟部組織形成システムであって、少なくとも前記上面および前記底面の少なくとも１が少なくとも１つの可膨張性区画に装着されることを特徴とするシステム。
【請求項２】
請求項１に記載のシステムにおいて、それぞれの前記上面および前記底面が、少なくとも１つの可膨張性区画に装着されることを特徴とするシステム。
【請求項３】
請求項１に記載のシステムにおいて、少なくとも１の前記上面および前記底面が、膨張して前記軟部組織を再形成するのにそれぞれ適している、いくつかの可膨張性区画を具えることを特徴とするシステム。
【請求項４】
請求項１に記載のシステムにおいて、少なくとも１つの可膨張性区画が、膨張／収縮バルブを具えること特徴とするシステム。
【請求項５】
請求項１に記載のシステムにおいて、少なくとも１つの可膨張性区画に、ガス、生理食塩水、シリコーンゲル、ハイドロゲルまたはその種の他の物といった、生体適合性材料が充填されることを特徴とするシステム。
【請求項６】
請求項１に記載のシステムにおいて、前記軟部組織が、乳房組織、臀部組織、腕組織または頸部組織であることを特徴とするシステム。
【請求項７】
請求項１に記載のシステムにおいて、前記軟部組織が乳房組織であって、前記アンカーシステムが、姿勢組織に固定するのに適した１またはそれ以上の前記アンカーを具え、前記クレードル部材を支えるために１またはそれ以上の吊り部材が１またはそれ以上のアンカーから吊り下げられていることを特徴とするシステム。
【請求項８】
請求項７に記載のシステムにおいて、前記姿勢組織が、所望の乳頭高さより上にあることを特徴とするシステム。
【請求項９】
請求項１に記載のシステムにおいて、前記軟部組織が頸部組織、臀部組織または腕組織であって、前記アンカーシステムが前記各軟部組織の重心より上に位置した姿勢組織に固定されることを特徴とするシステム。
【請求項１０】
請求項１に記載のシステムにおいて、前記アンカーが、姿勢組織に固定されたボルト固定または縫合固定であることを特徴とするシステム。
【請求項１１】
請求項１に記載のシステムにおいて、前記軟部組織が乳房組織であって、前記クレードル部材が姿勢組織に乳房下部に沿って取り付けられることを特徴とするシステム。
【請求項１２】
請求項１１に記載のシステムにおいて、前記アンカーシステムが、前記クレードル部材と一体化または関節接合された１またはそれ以上の支持部材を具えることを特徴とするシステム。
【請求項１３】
請求項１２に記載のシステムにおいて、前記支持部材が、前記クレードル部材の前記上面および前記底面の片方または両方に装着されることを特徴とするシステム。
【請求項１４】
請求項１２に記載のシステムにおいて、前記支持部材が、姿勢組織に耐えうるように装着された前記クレードル部材の縦方向端部から横方向に突出するタブの形状であることを特徴とするシステム。
【請求項１５】
請求項１２に記載のシステムにおいて、前記アンカーシステムが、所望の乳頭高さより上の姿勢組織に固定するのに適した１またはそれ以上のアンカーを具え、前記クレードル部材を支えるために１またはそれ以上の吊り部材が１またはそれ以上のアンカーから吊り下げられて乳房を通って延びており、タブの形状をした支持部材が、姿勢組織および吊り部材に耐えうるように装着された前記クレードル部材の縦方向端部から横方向に突出していることを特徴とするシステム。
【請求項１６】
請求項１に記載のシステムにおいて、前記クレードル部材の少なくとも一部が、メッシュ状部であることを特徴とするシステム。
【請求項１７】
軟部組織形成システムであって、前記軟部組織を支えるクレードル部材と、前記クレードル部材を姿勢軟部組織に少なくとも１か所で固定するアンカーシステムとを具えることを特徴とするシステム。
【請求項１８】
請求項１に記載のシステムにおいて、前記軟部組織が、頸部組織、臀部組織または腕組織であることを特徴とするシステム。
【請求項１９】
請求項１７に記載のシステムにおいて、前記アンカーシステムが、前記軟部組織の重心より上に位置した姿勢組織に固定されることを特徴とするシステム。
【請求項２０】
請求項１７に記載のシステムにおいて、前記アンカーが、姿勢組織に固定されたボルト固定または縫合固定であることを特徴とするシステム。
【請求項２１】
請求項１７に記載のシステムにおいて、前記クレードル部材の少なくとも一部がメッシュ状部であることを特徴とするシステム。
【請求項２２】
請求項１７に記載のシステムにおいて、前記アンカーシステムが、前記クレードル部材に一体化または関節接合される１またはそれ以上の支持部材を具えることを特徴とするシステム。
【請求項２３】
患者の軟部組織を形成する方法であって、当該方法が、
ａ）前記軟部組織を支えるクレードル部材と、前記クレードル部材を姿勢組織に少なくとも１か所で固定するアンカーシステムと、少なくとも上面と底面を有する前記クレードル部材と、を提供するステップと、
ｂ）前記軟部組織の下部に、少なくとも１の穿刺術創を形成するステップと、
ｃ）前記軟部組織を通る横方向通路を形成するステップと、
ｄ）前記横方向通路を通って前記クレードル部材を導入するステップと、
ｅ）前記穿刺術創を介して、前記アンカーシステムを固定するステップと、
を具えることを特徴とする方法。
【請求項２４】
少なくとも１の強化部材を具えることを特徴とするシート材料。
【請求項２５】
請求項２４に記載のシート材料において、前記シート材料がシリコン材料であって、少なくとも１の前記強化部材が、強化特性を有するメッシュ状材料であることを特徴とするシート材料。
【請求項２６】
請求項２４に記載のシート材料において、前記シート材料が均一に強化されることを特徴とするシート材料。
【請求項２７】
請求項２４に記載のシート材料において、前記シート材料が非均一に強化されることを特徴とするシート材料。
【手続補正書】
【提出日】平成23年12月27日(2011.12.27)
【手続補正１】
【補正対象書類名】特許請求の範囲
【補正対象項目名】請求項５
【補正方法】変更
【補正の内容】
【請求項５】
液状および／またはガス状の物質または添加剤（１２）の導入を、前記反応媒体（６）が方向転換する区域内の下側で行い、その際、上から下までまたは重力方向で流れる前記反応媒体（６）の領域内におけるよりも、多量の液状および／またはガス状の物質または添加剤（１２）を下から上までまたは反重力方向で流れる前記反応媒体（６）の領域内において導入することを特徴とする、請求項２〜４のいずれか一つに記載の方法。 
【手続補正２】
【補正対象書類名】明細書
【補正対象項目名】００３０
【補正方法】変更
【補正の内容】
【００３０】
それぞれの光合成微生物または光化学的要求に適合し、プロセス結果に対応する、全反応器中での最適な滞留期間は、次のパラメータによる影響を受ける場合がある。
・貫流速度
・反応器要素の断面積
・反応器要素の高さ
・投入されるガス状でない物質の数および性質
吹き込まれたガスの性質、数、密度、および圧力
・蛇行状の誘導部へと結合された反応器要素の数
・プロセス排ガスを排出する手段
・プロセス温度
・滞留期間および光に対する位置
・熟成槽および／または暗槽（Ｄｕｎｋｅｌｔａｎｋ）中での滞在期間
【手続補正３】
【補正対象書類名】明細書
【補正対象項目名】００５２
【補正方法】変更
【補正の内容】
【００５２】
本発明の特別な一形態によれば、ガス管は、下から上にまたは反重力方向に流れる反応媒体の範囲中では、上から下にまたは重力方向に流れる反応媒体の範囲内よりも多数のおよび／またはより大径の微細孔を備えている。これにより、上述の“ガスリフト効果”が設備技術的に達成される。
【手続補正４】
【補正対象書類名】明細書
【補正対象項目名】００６４
【補正方法】変更
【補正の内容】
【００６４】
【図１】図１は、管から成るバイオ反応器を示す図である。
【図２】図２は、図１に応じた平面図である。
【図３】図３は、図１に応じた側面図である。
【図４】図４は、ウェブプレートから成るバイオ反応器を示す図である。
【図５】図５は、図４に応じた平面図である。
【図６】図６は、図４に応じた側面図である。
【図７】図７は、管の概略図である。
【図８】図８は、“ガスリフト”効果に関する原理を示す図である。
【図９】図９は、“ガスリフト”効果の使用に関する原理を示す図である。
【図１０】図１０は、“ガスリフト”効果の使用に関する原理を示す図である。
【図１１】図１１は、アルキメデスの螺旋を備えたバイオ反応器を示す図である。
【図１２】図１２は、バイオソーラー反応器を示す図である。
【図１３】図１３は、バイオ反応器への太陽光照射の概略図である。
【図１４】図１４は、バイオ反応器への太陽光照射の概略図である。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
アンジオポエチン-2（Ang-2）と結合する単離された抗体であって、前記抗体がａ）配列番号3（MEDI1）；ｂ）配列番号4（MEDI2）；ｃ）配列番号5（MEDI3）；ｄ）配列番号6（MEDI4）；またはｅ）配列番号8（MEDI6）を含む軽鎖可変域を含む、上記抗体。
【請求項２】
前記抗体が配列番号3（MEDI1）を含む軽鎖可変域を含む、請求項1記載の抗体。
【請求項３】
前記抗体は、生産される時に、哺乳動物宿主細胞において、配列番号1および配列番号2を含むAng-2抗体3.19.3の生産効率の2倍以上の生産効率を表す、請求項1記載の抗体。
【請求項４】
前記抗体は、類似の実験条件下で評価した配列番号1および配列番号2を含むAng-2抗体3.19.3の凝集速度より少なくとも10％低い凝集速度を示す、請求項1記載の抗体。
【請求項５】
前記抗体が配列番号7（MEDI5）を含む重鎖可変域をさらに含む、請求項1記載の抗体。
【請求項６】
前記抗体が配列番号3（MEDI1）を含む軽鎖可変域と配列番号7（MEDI5）を含む重鎖可変域を含む、請求項1記載の抗体。
【請求項７】
前記抗体が配列番号1および配列番号2を含むAng-2抗体（3.19.3）の融点よりも高い融点を示す、請求項6記載の抗体。
【請求項８】
配列番号3（MEDI1）および配列番号7（MEDI5）を含む軽鎖可変域および重鎖可変域を含む、Ang-2と結合する少なくとも1つの単離された抗体をコードしている、単離された核酸。
【請求項９】
ａ）Ang-2と結合する単離された抗体であって、配列番号3（MEDI1）を含む軽鎖可変域と配列番号7（MEDI5）を含む重鎖可変域を含む、上記抗体；および
ｂ）賦形剤、を含む医薬組成物。
【請求項１０】
それを必要とする動物における癌腫瘍の血管新生を阻害するために使用する組成物であって、
ａ）Ang-2と結合する単離された抗体であって、配列番号3（MEDI1）を含む軽鎖可変域と配列番号7（MEDI5）を含む重鎖可変域を含む、上記抗体；および
ｂ）賦形剤、を含む上記組成物。
【請求項１１】
１以上の他の癌治療薬をさらに含む、請求項10記載の組成物。
【請求項１２】
前記癌が黒色腫、結腸癌、結腸直腸、肺癌、小細胞肺癌、非小細胞肺癌、乳癌、直腸癌、胃癌、神経膠腫、前立腺癌、卵巣癌、精巣癌、甲状腺癌、腎臓癌、肝臓癌、肝細胞癌、膵臓癌、脳癌、頚部癌、神経膠芽細胞腫、子宮内膜癌、および中枢神経系癌からなる群より選択される、請求項10記載の組成物。
【請求項１３】
それを必要とする動物における疾患に関係する血管新生を防止、治療または管理するために使用する組成物であって、
ａ）Ang-2と結合する単離された抗体；および
ｂ）賦形剤、を含む上記組成物。
【請求項１４】
疾患に関係する血管新生が血清陰性関節炎、血清陽性関節炎、他の関節症に関係する関節炎、骨関節炎またはSLEに関連し、任意に、血清陽性関節炎が慢性関節リウマチである、請求項13記載の組成物。
【請求項１５】
１以上の抗炎症治療薬をさらに含み、任意に、該抗炎症治療薬がTNF-αアンタゴニストである、請求項13記載の組成物。
【請求項１６】
前記抗体が配列番号3（MEDI1）を含む軽鎖可変域と配列番号7（MEDI5）を含む重鎖可変域を含む、請求項13記載の組成物。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
エネルギーを目標に向ける電磁エネルギー伝達手段であって、
該電磁エネルギー伝達手段は、コーティングまたは金属ネットの形態の、少なくとも１つの導電性金属電極材料を含み、
少なくとも１つの導電性金属電極材料層は、可撓性キャリアの表面上にコーティングされ、
前記コーティングされた可撓性キャリアは、多孔性で、かつ、前記コーティングされた可撓性キャリアを通して水の移動および呼吸を可能にするか、あるいは、前記少なくとも１つの導電性金属電極材料は、金属ネットの形態で可撓性キャリアを構成し、
前記可撓性キャリアは、多孔性で、かつ、前記可撓性キャリアを通して水の移動および呼吸を可能にし、
前記可撓性キャリア上のコーティングまたは金属ネットの形態の前記少なくとも１つの導電性金属電極材料は、絶縁されておらず、マイクロ波放射を使用しない
ことを特徴とする電磁エネルギー伝達手段。
【請求項２】
請求項１に記載の電磁エネルギー伝達手段であって、
前記電磁エネルギー伝達手段は、容量結合式のエネルギー伝達手段と、放射結合式のエネルギー伝達手段と、伝導結合式のエネルギー伝達手段とのうちの少なくとも１つである
ことを特徴とする電磁エネルギー伝達手段。
【請求項３】
請求項１に記載の電磁エネルギー伝達手段であって、
前記目標は、非一様な表面と、フラクタルな表面と、浸透性の表面とのうちの少なくとも１つ、または、哺乳類の皮膚または組織、または、流体、または液体である
ことを特徴とする電磁エネルギー伝達手段。
【請求項４】
請求項１に記載の電磁エネルギー伝達手段であって、
前記導電性金属電極材料は、銀、ニッケル、銅、金、ならびに、少なくとも銀とニッケルと銅と金とのうちの少なくとも１つを含む合金から選択される
ことを特徴とする電磁エネルギー伝達手段。
【請求項５】
請求項１に記載の電磁エネルギー伝達手段であって、
前記可撓性キャリアは、織物、プラスチック、ポリアミド、ポリ−ε−カプロラクトン、ポリ−パラ−ジオキサノン、ポリ酸無水物、ポリヒドロキシメタクリレート、フィブリン、ポリエーテルエステル、ＰＥＧ、ポリ（ブチレンテレフタレート）、ポリカーボネート、ポリ（Ｎ−ビニル）−ピロリドン、ポリビニルアルコール、ポリエステルアミド、ポリエチレンオキシド、ポリプロピレンオキシド、ポリウレタン、フィブリノゲン、デンプン、コラーゲン、ゼイン、カゼイン、β−シクロデキストリン、ポリアクリレート、ポリアクリルアミド、ポリイミド、ポリエチレン、ポリプロピレン、ポリテトラフルオロエチレン、フルオロシリコーン、レーヨン、ポリスルフォン、シリコーン、ポリシロキサン、ポリビニルハロゲン、および、これらの物質の共重合体または混合物から選択される
ことを特徴とする電磁エネルギー伝達手段。
【請求項６】
請求項１に記載の電磁エネルギー伝達手段であって、
前記コーティングされた可撓性キャリアまたは前記金属ネットは、前記キャリアを通した空気の移動を可能にする
ことを特徴とする電磁エネルギー伝達手段。
【請求項７】
請求項１に記載の電磁エネルギー伝達手段であって、
前記コーティングされた可撓性キャリアまたは前記金属ネットは、前記キャリアを通し
た流体の移動を可能にする
ことを特徴とする電磁エネルギー伝達手段。
【請求項８】
請求項１に記載の電磁エネルギー伝達手段であって、
前記コーティングされた可撓性キャリアまたは前記金属ネットは、円柱、あるいは、人または動物の身体の任意の形状に適応された任意の他の形を形成することができる
ことを特徴とする電磁エネルギー伝達手段。
【請求項９】
請求項１に記載の電磁エネルギー伝達手段であって、
前記コーティングされた可撓性キャリアまたは前記金属ネットは、折り畳み可能である
ことを特徴とする電磁エネルギー伝達手段。
【請求項１０】
請求項１に記載の電磁エネルギー伝達手段であって、
前記電磁エネルギー伝達手段は、冷却システムまたは冷却装置または冷却ボーラスを備えていない
ことを特徴とする電磁エネルギー伝達手段。
【請求項１１】
請求項１に記載の電磁エネルギー伝達手段であって、
前記電磁エネルギー伝達手段は、該電磁エネルギー伝達手段の全表面において等電位である
ことを特徴とする電磁エネルギー伝達手段。
【請求項１２】
請求項１に記載の電磁エネルギー伝達手段であって、
前記電磁エネルギー伝達手段は、単一のケーブルを通して無線周波数源に接続される
ことを特徴とする電磁エネルギー伝達手段。
【請求項１３】
請求項１に記載の電磁エネルギー伝達手段であって、
コーティングまたは金属ネットの形態の前記少なくとも１つの導電性金属電極材料は、少なくとも、１つの対電極または１つの逆帯電した容量性電極に対向して配置される
ことを特徴とする電磁エネルギー伝達手段。
【請求項１４】
請求項１に記載の電磁エネルギー伝達手段であって、
前記電磁エネルギー伝達手段は、コンデンサの一部である
ことを特徴とする電磁エネルギー伝達手段。
【請求項１５】
請求項１〜１４のうちのいずれか１つに記載の電磁エネルギー伝達手段であって、
前記コーティングされた可撓性キャリアまたは前記金属ネットは、交互に入れ替わる正および負セクション配置または正および負電極配置で配列される、複数の正および負セクションまたは複数の正および負電極で構成されている
ことを特徴とする電磁エネルギー伝達手段。
【請求項１６】
請求項１〜１５のうちのいずれか１つに記載の電磁エネルギー伝達手段を備える温熱療法装置。
【請求項１７】
がん、関節リウマチ、リウマチ、痛風、強直性脊椎炎、狼瘡、喘息、アレルギー性鼻炎、感冒、治療領域の解毒による疲労、筋痙攣、筋肉損傷の防止および治療のための、および、美容目的での使用のための、温熱療法装置を製造するための、請求項１〜１５のうちのいずれか１つに記載の電磁エネルギー伝達手段の使用方法。
【請求項１８】
請求項１７に記載の使用方法であって、
前記美容目的は、セルライト治療、脂肪低減、および組織リフティングを含む
ことを特徴とする使用方法。